(57)【要約】  【課題】  ＣＤ９０を再生してＭＰ３によって圧縮してファイリングする際に、確実なアルバム名および曲名の取得を行なう。  【解決手段】  ＣＤ９０のＴＯＣ情報を再生／ダビング装置１００のＣＤ再生部２で読出し、その情報をシステムコントローラ１からネットワークサーバ１０１およびインターネット通信網４０を介してＴＯＣアルバムの関連情報のデータベース４６に送付し、ここで対応するアルバム名および曲名を取得する。データベース４６で対応する内容情報が取得できない場合には、システムコントローラ１がＣＤ再生部２でこのＣＤ９０の著作権情報（ＩＳＲＣコード）を読出し、それを元にネットワークサーバ１０１およびインターネット通信網４０を介して音楽会社または販売会社のホームページ４７、４８のデータベースを検索し、アルバム名および曲名を取得する。【選択図】  図１
2005122863.tif 000002
【特許請求の範囲】
【請求項１】
記録媒体に記録された信号を再生または保存する記録再生装置と、
前記記録再生装置とネットワーク通信網を介して接続され、前記信号の内容情報を蓄積しているデータベースと、
を具備し、前記記録媒体に記録された信号を再生または保存する際に前記ネットワーク通信網を介して前記データベースから前記信号の内容情報を取込むことを特徴とする媒体情報検索装置。
【請求項２】
前記記録媒体に記録された信号が音楽の音声信号であって、前記記録媒体に記録された著作権情報を元に音楽会社または音楽の通信販売会社のホームページのデータベースから前記音楽の内容情報を取込んで表示または記憶することを特徴とする請求項１に記載の媒体情報検索装置。
【請求項３】
前記著作権情報の録音年情報から音楽会社または音楽の通信販売会社のホームページの有効な内容情報を自動的に取込むことを特徴とする請求項２に記載の媒体情報検索装置。
【請求項４】
前記記録媒体のトラック情報から音楽会社または音楽の通信販売会社のホームページの該当する内容情報を自動的に取込むことを特徴とする請求項２に記載の媒体情報検索装置。
【請求項５】
前記音楽の内容情報をネットワーク通信網を介して接続されているサーバの記憶手段に記憶することを特徴とする請求項２に記載の媒体情報検索装置。
【請求項６】
前記音楽の内容情報をこの検索装置内の記憶手段に記憶させることを特徴とする請求項２に記載の媒体情報検索装置。
【請求項７】
記録媒体に記録された音声信号を再生または保存する際に前記音声信号の内容を検索する方法において、
前記音声信号のトラック情報を基にネットワーク通信網を介してトラック情報のデータベースにアクセスし、対応する内容情報を入手するとともに、
前記トラック情報のデータベース中に対応する内容情報が検索されない場合に、前記音声信号の著作権情報を元にネットワーク通信網を介して音楽会社または音楽の通信販売会社のデータベースにアクセスし、対応する内容情報を入手することを特徴とする媒体情報検索方法。
【請求項８】
トラック情報のデータベース中に対応する内容情報が２つ以上ある場合に、予め記憶されている内容情報を利用して類似の内容情報を自動的に検索することを特徴とする請求項７に記載の媒体情報検索方法。
【請求項９】
トラック情報のデータベース中に対応する内容情報が２つ以上ある場合にそれらの内容を表示し、ユーザが内容情報を選択することを特徴とする請求項７に記載の媒体情報検索方法。
【請求項１０】
音楽会社または音楽の通信販売会社のデータベースにアクセスすると、該音楽会社または該販売会社の宣伝広告が自動的に検索側に送信されることを特徴とする請求項７に記載の媒体情報検索方法。
【請求項１１】
ネットワーク通信網を介して接続される外部変換サイトによって内容情報を整形するとともに、不要なデータを削除することを特徴とする請求項７に記載の媒体情報検索方法。
【発明の詳細な説明】
【技術分野】
【０００１】
本発明は媒体情報検索装置および検索方法に係り、とくに記録媒体に記録された信号を再生または保存する際に信号の内容を取込んで表示あるいは記憶するための記録媒体検索装置および記録媒体検索方法に関する。
【背景技術】
【０００２】
光ディスクプレーヤ等のディスク状記録媒体を用いて、音楽等のオーディオ信号をデジタル化して記録するようにしたＣＤ（コンパクトディスク）やＭＤ（ミニディスク）が広く普及している。そしてこのようなＣＤやＭＤの内容を、大容量のＨＤ（ハードディスク）やＤＶＤ（Ｄｉｇｉｔａｌ  Ｖｅｒｓａｔｉｌｅ  Ｄｉｓｃ）にさらに記憶するようにしたダビング機能付きのＣＤプレーヤやＭＤプレーヤが提供される傾向にある。またこのようなアーカイブ機能をハードウエアとソフトウエアの組合わせによって可能にするパソコンが出現するようになった。
【０００３】
なおＣＤやＭＤは、例えば１つの楽曲等が１つのプログラム（トラックと称される）として、１または複数のプログラム（トラック）が収録されて、全体が１つのアルバムを構成している。このようなＣＤやＭＤを記録元とするＨＤ等の他の記録媒体へのダビング動作では、例えばＣＤの全体、つまりアルバム単位でダビングすることも可能であるが、ユーザが指定したトラックのみをダビングすることも可能になっている。
【０００４】
一般にＣＤにはコンテンツ情報が入っておらず、ＨＤやＤＶＤ等にデータ圧縮のフォーマットの１つであるＭＰ３等の圧縮技術を使ってダビング、すなわちアーカイブを行なう際には、手動で１曲ずつ曲名やアルバム名を入力する必要があった。従ってダビングあるいはアーカイブの操作が面倒になる問題があった。
【０００５】
なおインターネットを介してアクセス可能なデータベースであって、ＣＤのコンテンツ情報のデータベースであるＣＤＤＢには、ＴＯＣ（Ｔａｂｌｅ  ｏｆ  Ｃｏｎｔｅｎｔｓ）データと曲名、アルバム名を連携させたものがある。従ってネット接続可能なＣＤプレーヤにおいては、上記のデータベースを利用して自動的に曲名やアルバム名を取得し、これをＣＤプレーヤの表示部によって表示することができる。ところがこのデータベースＣＤＤＢは総てのＣＤを網羅しているものではなく、場合によっては自動取得できず、従来どおり手動によって入力する煩しさがあった。
【０００６】
また従来のデーダベースＣＤＤＢは、１つのＴＯＣデータに対して２つ以上のアルバム情報が存在する場合もあった。これはこのデータベースＣＤＤＢが一般ユーザが入力したものが大半であるからである。またユーザが入力したために、誤りが確認されておらず、誤ったデータも混在していた。
【０００７】
従ってＣＤプレーヤにおいて、インターネットを利用してデータベースＣＤＤＢを介してコンテンツ情報を入手する検索は、完全な検索が不可能であるばかりか、場合によっては誤ったコンテンツ情報を入手して表示したり記憶したりすることになる。
【０００８】
なお特開平８−３０６１７０号公報には、光ディスク情報検索装置が、ディスク収納部に収納された複数の光ディスクに予め記憶されているそれぞれの固有の識別情報を固有識別情報読取り部で読取って、この読取った固有の識別情報に応じてデータベースから上記媒体識別用の索引情報を検索し、この検出した媒体識別用のの索引情報に対応した記録内容情報をデータベースから検索コントローラが検索することによって、複数の記録媒体の記録内容情報を容易に検索するようにした媒体情報検索装置が開示されている。
【０００９】
このような装置は、予め入手して用意した例えばＣＤ−ＲＯＭ形式のデータベース上に記録されているコンテンツ情報の中からしか情報を検索することができない。従ってこのデータベースを入手した後に供給される新譜のＣＤについては上記ＣＤ−ＲＯＭ形式のデータベースから検索することができない欠点がある。
【００１０】
また特開２００２−２６９９０４号公報には、第１の記録媒体から第２の記録媒体にダビング記録した各データについては、データベース手段で管理されるようにするとともに、データベース手段では第１の記録媒体の識別情報を管理することで、通信手段を介して外部サーバから付加情報を得ることができるようにし、得られた付加情報を自動的にデータベース手段に登録することで、ユーザ入力がなくとも曲名その他の付加情報が得られるようにし、大容量の第２の記録媒体へダビングされたデータについて付加情報が自動登録されるようにしてユーザの利便性の向上と操作性の向上とを図ったデータ管理装置が開示されている。
【００１１】
このようなデータ管理装置は、ＴＯＣ情報によって得られるトラック情報を元に外部のデータベースＣＤＤＢを検索した場合に、対応するコンテンツ情報が存在しない場合に、それ以上の検索を行なえない欠点がある。
【００１２】
【特許文献１】特開平８−３０６１７０号公報公報
【特許文献２】特開２００２−２６９９００号公報
【特許文献３】特開２００２−２６９９０４号公報
【特許文献４】特開２００３−６７４０８号公報
【発明の開示】
【発明が解決しようとする課題】
【００１３】
本願発明の課題は、記録媒体に記録された信号を再生または保存する際に、この信号の内容情報を自動的に得て表示あるいは記憶することが可能な媒体情報検索装置および検索方法を提供することである。
【００１４】
本願発明の別の課題は、ネットワーク通信網を介して接続される各種のデータベースを利用して信号の内容情報を取込むようにした検索装置および検索方法を提供することである。
【００１５】
本願発明のさらに別の課題は、外部のデータベースからより正確に内容情報を検索して取込むようにした検索装置および検索方法を提供することである。
【００１６】
本願の上記の課題および別の課題は、以下に述べる発明の技術思想および実施の形態によって明らかにされる。
【課題を解決するための手段】
【００１７】
検索装置に関する主要な発明は、記録媒体に記録された信号を再生または保存する記録再生装置と、
前記記録再生装置とネットワーク通信網を介して接続され、前記信号の内容情報を蓄積しているデータベースと、
を具備し、前記記録媒体に記録された信号を再生または保存する際に前記ネットワーク通信網を介して前記データベースから前記信号の内容情報を取込むことを特徴とする媒体情報検索装置に関するものである。
【００１８】
ここで前記記録媒体に記録された信号が音楽の音声信号であって、前記記録媒体に記録された著作権情報を元に音楽会社または音楽の通信販売会社のホームページのデータベースから前記音楽の内容情報を取込んで表示または記憶することが好ましい。また前記著作権情報の録音年情報から音楽会社または音楽の通信販売会社のホームページの有効な内容情報を自動的に取込むことが好ましい。また前記記録媒体のトラック情報から音楽会社または音楽の通信販売会社のホームページの該当する内容情報を自動的に取込むことが好ましい。また前記音楽の内容情報をネットワーク通信網を介して接続されているサーバの記憶手段に記憶することが好ましい。また前記音楽の内容情報をこの検索装置内の記憶手段に記憶させることが好ましい。
【００１９】
検索方法に関する主要な発明は、記録媒体に記録された音声信号を再生または保存する際に前記音声信号の内容を検索する方法において、
前記音声信号のトラック情報を元にネットワーク通信網を介してトラック情報のデータベースにアクセスし、対応する内容情報を入手するとともに、
前記トラック情報のデータベース中に対応する内容情報が検索されない場合に、前記音声信号の著作権情報を元にネットワーク通信網を介して音楽会社または音楽の通信販売会社のデータベースにアクセスし、対応する内容情報を入手することを特徴とする媒体情報検索方法に関するものである。
【００２０】
ここでトラック情報のデータベース中に対応する内容情報が２つ以上ある場合に、予め記憶されている内容情報を利用して類似の内容情報を自動的に検索することが好ましい。またトラック情報のデータベース中に対応する内容情報が２つ以上ある場合にそれらの内容を表示し、ユーザが内容情報を選択することが好ましい。また音楽会社または音楽の通信販売会社のデータベースにアクセスすると、該音楽会社または該販売会社の宣伝広告が自動的に検索側に送信されることが好ましい。またネットワーク通信網を介して接続される外部変換サイトによって内容情報を整形するとともに、不要なデータを削除することが好ましい。
【００２１】
本願発明の好ましい態様は、映像や音楽のコンテンツ情報検索において、ＣＤの著作権情報を構成するＩＲＳＣ（Ｉｎｔｅｒｎａｔｉｏｎａｌ  Ｓｔａｎｄａｒｄ  Ｒｅｃｏｒｄｉｎｇ  Ｃｏｒｄ）データの権利者情報によって音楽会社または販売会社のホームページを自動的に閲覧するシステムに関する。ここでＣＤのＩＲＳＣデータの録音年情報より音楽会社または販売会社のホームページの有効なコンテンツ情報を自動的に検索することが好ましい。またＣＤの音楽年情報とＣＤのＴＯＣ（Ｔａｂｌｅ  ｏｆ  Ｃｏｎｔｅｎｔｓ）情報を元にしたトラック情報により音楽会社または販売会社のホームページ内の有効情報を自動的に検索してよい。またホームページアドレス情報を外部ネットワーク上のサーバに記憶してよい。またホームページアドレス情報を検索システム自体に記憶してもよい。さらにはコンテンツ情報表示時に、ＩＳＲＣデータの権利者情報により宣伝広告を自動的に表示することが好適である。
【００２２】
またＴＯＣ情報によるデータ検索システムにおいて、２つ以上のアルバム情報が存在している場合に、ＩＳＲＣデータによって正しい情報を自動的に選択するシステムである。ここでとくに予め登録したユーザの嗜好あるいはユーザがアーカイブしたアルバムデータを元にフィルタリングまたは優先表示してデータ化することによって、正しい情報の自動選択が可能になる。また外部変換サイトを用いてアルバム情報を整形し、不要なデータを送信しないようにすることが好適である。
【００２３】
上記のような態様によれば、ユーザサイドが手動で入力すべき状況のときでも、コンテンツに関する関連情報が自動的に得られ、簡単なアルバム指定の選択操作をするだけで情報を取得することができる。またコンパクトディスク等の音楽媒体を販売する販売会社としても、そのホームページ情報を自動的に閲覧させることによって販売促進につながる。
【００２４】
また現況のＴＯＣによるＣＤアルバムデータベースは一般ユーザが入力したデータが大半であって、かなりの誤りを含んでいる。このような誤りの確認のためにも本願の上記の態様は極めて有効である。またこのような態様を構築するためには外部の各種のデータベースや検索エンジン等を活用できるために、システム構築のための外部費用が一切かからない利点がある。従ってこの実施の態様は、既存のシステムをうまく利用して大掛りなシステム構築をすることなくＣＤのコンテンツ情報を検索でき、ユーザとメーカーおよび販売会社の双方に利益を与えるシステムとなる。
【発明の効果】
【００２５】
検索装置に関する主要な発明は、記録媒体に記録された信号を再生または保存する記録再生装置と、記録再生装置とネットワーク通信網を介して接続され、信号の内容情報を蓄積しているデータベースと、を具備し、記録媒体に記録された信号を再生または保存する際にネットワーク通信網を介してデータベースから信号の内容情報を取込むようにしたものである。
【００２６】
従ってこのような媒体情報検索装置によれば、記録媒体に記録された信号を再生または保存する際に、ネットワーク通信網を介して外部のデータベースから信号の内容情報を取込むことが可能になり、このような内容情報を表示したり記憶したりすることが可能になる。
【００２７】
検索方法に関する主要な発明は、記録媒体に記録された音声信号を再生または保存する際に音声信号の内容を検索する方法において、音声信号のトラック情報を元にネットワーク通信網を介してトラック情報のデータベースにアクセスし、対応する内容情報を入手するとともに、トラック情報のデータベース中に対応する内容情報が検索されない場合に、音声信号の著作権情報を元にネットワーク通信網を介して音楽会社または音楽の通信販売会社のデータベースにアクセスし、対応する内容情報を入手するようにしたものである。
【００２８】
従ってこのような情報検索方法によれば、音声信号のトラック情報を元にしてトラック情報のデータベースから内容情報を入手できるとともに、トラック情報のデータベースから内容情報が検索されない場合は著作権情報を元にして音楽会社または販売会社のデータベースにアクセスし、対応する内容情報を入手することが可能になり、より広い範囲の外部データベースを利用して内部情報を入手することが可能になり、このような内部情報を表示したり記憶したりすることが可能になる。
【発明を実施するための最良の形態】
【００２９】
図１は本実施の形態の再生／ダビング装置１００の構成を示すものであって、この装置はシステムコントローラ１、ＣＤ再生部２、ＨＤ記録再生部３、音声入出力部４、操作部５、表示部６、インターフェース７によって構成される。なおこの再生／ダビング装置１００と、パーソナルコンピュータ１０１が接続されてデータ管理装置が構築されることになる。この場合に、パーソナルコンピュータ１０１は、主に通信手段としての機能を受持つ。
【００３０】
装置１００において、システムコントローラ１、ＣＤ再生部２、ＨＤ記録再生部３は、それぞれ相互に各種制御信号ＣＳで通信できる構成になっている。例えばバス接続構成とされてよい。システムコントローラ１は、ＣＤ再生部２、ＨＤ記録再生部３に対して制御信号ＣＳを送信し、ＣＤ再生部２、ＨＤ記録再生部３にそれぞれ所要の動作を実行させる。またＣＤ再生部２、ＨＤ記録再生部３はシステムコントローラ１に対して制御信号ＣＳに対するアンサ信号や、動作状況（ステータス）、後述するサブコードやＴＯＣ等の情報、その他必要な情報を送信する。
【００３１】
システムコントローラ１は、マイクロコンピュータにより形成され、制御信号ＣＳの送信によって全体の動作を制御する。このシステムコントローラ１には、操作部５から入力が与えられる。操作部５には、電源キー、エジェクトキー、再生キー、一時停止キー、停止キー、選曲キー、録音キー等が用意され、ユーザが任意の操作を行なう。システムコントローラ１は操作部５による操作に応じて、制御信号ＣＳによりＣＤ再生部２、ＨＤ再生部３に実行すべき動作を指示する。またＣＤのトラックナンバーを指定してユーザが任意の楽曲からの再生を指示する操作や、いわゆるプログラム再生と呼ばれるユーザが曲順を指定して再生される操作や、シャッフル再生と呼ばれるランダムな曲順で再生させる操作等も可能とされる。さらに曲名等の付加情報をユーザが入力することができるようになり、文字を入力できる操作子が用意されていてもよい。
【００３２】
またシステムコントローラ１には表示部６が接続され、システムコントローラ１は表示部６に表示データを与えて必要な表示を実行させる。例えば表示部６には、ＣＤ再生部２に装着されたＣＤに関する情報として、例えば総演奏時間、演奏中の曲の経過時間、再生中の曲の残り演奏時間、全体の残りの演奏時間等の時間情報や、演奏中の曲のトラックナンバ等が表示される。またディスクネーム（アルバム名）やトラックネーム（曲名）が記録されているディスクの場合は、ディスクネームやトラックネームが表示される。
【００３３】
ＣＤ再生部２は、第１の記録媒体に相当するＣＤ−ＤＡを装填し、その再生を行なう部位である。詳細な構成は後述するが、ＣＤから再生されるオーディオデータＳ１（ＰＣＭデジタルオーディオデータ）は、音声入出力部４およびＨＤ記録再生部３に供給される。なおＣＤ再生部２においては、ＣＤ方式のディスクについて音楽データを再生できる部位とされ、説明上はＣＤ−ＤＡに対応するものとするが、例えばＣＤ−Ｒ、ＣＤ−ＲＷ等のＣＤ方式の他の種のディスクに音楽データが記録されていた場合は、同様に再生できる。またＣＤ−ＤＡの１形態としてサブコードにテキストデータが記録されているＣＤテキストというディスクも存在するが、その場合は音楽データの再生とともに、サブコードからテキストデータを再生できる。本例では、第１の記録媒体をＣＤとした場合を例に挙げるが、第１の記録媒体はＭＤ、メモリカード、ＤＡＴ（デジタルオーディオテープ）等、他の種のものでもよく、それらに対応する場合は、ＣＤ再生部２に代えて（あるいは追加して）、ＭＤ再生部、メモリカード再生部、ＤＡＴ再生部等が設けられればよい。
【００３４】
ＨＤ記録再生部３は、大容量の第２の記録媒体としてのＨＤＤを備えて、ＨＤＤに対してデータの記録再生を行なう部位である。第２の記録媒体たるＨＤＤとしては例えば容量が数１０ＧＢなど、第１の記録媒体であるＣＤに比べて非常に大容量のものとされる。ＨＤ記録再生部３の構成は後述するが、ＨＤ記録再生部３に対しては、ＣＤ再生部２からのオーディオデータＳ１、音声入出力部４からのオーディオデータＳ２（ＰＣＭデジタルオーディオデータ）が入力できるようになされ、ＨＤ記録再生部３にはこれらのオーディオデータＳ１、Ｓ２をＨＤＤに記録できる。オーディオデータＳ１、Ｓ２は、例えばＩＥＣ６０９５８準拠の音楽データ信号とされる。またＨＤＤから再生したオーディオデータＳ３を音声入出力部４に対して出力できる。
【００３５】
音声入出力部４は、オーディオデータの入出力を行なう部位であり、ＣＤ再生部２やＨＤ記録再生部３から再生されたオーディオデータを、スピーカシステムや他の機器に対して出力したり、あるいは他の機器から供給されたオーディオデータ（デジタルオーディオデータまたはアナログオーディオ信号）を入力する。システムコントローラ１は、切換え制御信号ＣＳＷにより、音声入出力部４による入出力経路の制御を行なう。
【００３６】
システムコントローラ１は、インターフェース７を介してパーソナルコンピュータ１０１と接続される。例えばパーソナルコンピュータ１０１とシステムコントローラ１は、クロック非同期シリアル信号で通信される。接続は、コンピュータで通常使用されるシリアルケーブルもしくはＵＳＢケーブルにより行なわれる。そしてパーソナルコンピュータ１０１上で動作するアプリケーションはシステムコントローラ１を制御してダビング装置１００に所要の動作を実行させることが可能になっている。
【００３７】
パーソナルコンピュータ１０１は、所定の通信回線でインターネット通信網４０と通信を行なう機能を有し、このインターネット通信網４０を介して外部サーバ４１と通信可能にされる。さらにインターネット通信網４０を介してパーソナルコンピュータ１０１は、４つのデータベース４６、４７、４８、４９と通信可能にされる。データベース４６は通常市販されているＣＤについての付加情報を提供するサービスを行なう情報サイトであって、ＣＤの識別情報に応じて該当するＣＤを検索し、そのＣＤに対応する付加情報、例えばアルバム名、収録曲の曲名、ＩＳＲＣ等を提供する。
【００３８】
また別のデータベース４７は音楽会社のホームページのデータベースであって、ＣＤのアルバムや曲名に関するコンテンツ情報を入手するために利用されるデータベースである。また別のデータベース４８は例えばアマゾンドットコム（称号名）等のインターネットレコード店のデータベースであって、このようなデータベースもまたＣＤのアルバムや曲名に関するコンテンツ情報を検索するために用いられるものである。さらにインターネット通信網４０を介してアクセスされる検索エンジン４９は、検索のためのデータベースである。
【００３９】
パーソナルコンピュータ１０１はこのような外部のデータベース４６〜４９と通信することで付加情報を取得できる。付加情報取得のための通信処理を実行するために、パーソナルコンピュータ１０１には、付加情報自動取得実行のアプリケーションソフトウエアを有しており、そのアプリケーションとシステムコントローラ１が連携処理することによって、この実施の形態の特徴的な動作である付加情報自動取得動作が実現される。またパーソナルコンピュータ１０１上で動作するアプリケーションは、ＣＤの曲情報やＨＤＤに記録されている情報等をＧＵＩを用いることで、それらの情報を視覚的に分り易く表示することが可能であり、このアプリケーション上でユーザがそれらの情報の編集をすることを可能にしている。例えばパーソナルコンピュータ１０１に接続された図示しないモニタディスプレイ等でＧＵＩによる操作を可能にする。
【００４０】
なお本実施の形態においてはパーソナルコンピュータ１０１が通信手段としての機能、および付加情報自動取得のための制御手段の一部機能を有するものとして説明したが、再生／ダビング装置１００にネットワーク通信装置部を備え、システムコントローラ１が通信動作制御をも行なうようにして、パーソナルコンピュータ１０１を不要にすることも可能である。
【００４１】
次に図２によってＣＤ再生部の構成を説明する。ディスク９０は、ＣＤ再生部２に装填されたＣＤである。ディスク９０はＣＤ再生動作時においてスピンドルモータ２２によって一定線速度（ＣＬＶ）で回転駆動される。そして光学ヘッド２３によってディスク９０にピット形態で記録されているデータが読出され、ＲＦアンプ２５に供給される。
【００４２】
ディスク９０からのデータの読出しのために、光学ヘッド２３内には、図示していないレーザ光源となるレーザダイオードや、反射光を検出するためのフォトディテクタ、レーザ光の出力端となる対物レンズ、レーザ光を対物レンズを介してディスクの記録面に照射し、またその反射光をフォトディテクタに導く光学系等が設けられている。対物レンズは２軸機構によってトラッキング方向およびフォーカス方向に移動可能に保持されている。また光学ヘッド２３の全体はスレッド機構２４によりディスクの半径方向に移動可能になっている。
【００４３】
ＲＦアンプ２５では再生ＲＦ信号の他、フォーカスエラー信号、トラッキングエラー信号を生成する。これらのエラー信号はサーボ回路２７に供給される。サーボ回路２７はフォーカスエラー信号、トラッキングエラー信号から、フォーカス駆動信号、トラッキング駆動信号、スレッド駆動信号を生成し、光学ヘッド２３内の２軸機構やスレッド機構２４の動作を制御する。またサーボ回路２７はトラッキングエラー信号の低域成分や、ＣＤコントローラ２１からのアクセス指示信号に応じてスレッド駆動信号を生成し、スレッド機構２４の動作を制御して光学ヘッド２３を移動させる。またサーボ回路２７はデコーダ２６またはＣＤコントローラ２１から供給されるスピンドルエラー信号やスピンドルキック／ブレーキ信号に基いてスピンドル駆動信号を生成し、スピンドルモータ２２の動作を制御する。
【００４４】
ＲＦアンプ２５から出力される再生ＲＦ信号はデコーダ２６に供給される。デコーダ２６ではＥＦＭ復調、ＣＩＲＣデコード等を行なってディスク９０から読取られた情報を１６ビット量子化、４４．１ＫＨｚサンプリングのデジタルオーディオデータＳ１にデコードする。このデジタルオーディオデータＳ１は、図１に示したようにＨＤ記録再生部３、音声入出力部４に供給される。またデコーダ２６ではＴＯＣやサブコード等の制御データも抽出されるが、それらはＣＤコントローラ２１に供給され、各種制御に用いられる。
【００４５】
ＣＤコントローラ２１はＣＤ再生部２を制御するマイクロコンピュータとされる。ディスク９０（ＣＤ）の再生時には、ＣＤに記録されている管理情報、すなわちＴＯＣ情報を読出す必要がある。ＣＤコントローラ２１はこの管理情報に応じてディスク９０に収録されたトラック数、各トラックのアドレス等を判別し、再生動作制御を行なうことになる。このためＣＤコントローラ２１はディスク９０が装填された際にＴＯＣが記録されたディスクの最内周側の再生動作を実行させることによって読出し、例えば内部ＲＡＭに記憶しておき、以後そのディスク９０に対する再生動作の際に参照できるようにしている。
【００４６】
またディスク９０がＣＤテキストである場合は、ＴＯＣデータを形成するサブコード内にテキストデータが記録されている。ＣＤコントローラ２１はＴＯＣ読込み時にこのテキストデータを読込み、内部ＲＡＭに格納することになる。なおテキストデータが、いわゆるＴＯＣエリアではなく、プログラムエリアにおけるサブコード内に記録されるモードも存在するが、その場合にも、プログラム（トラック）の再生進行に応じて抽出されるサブコードデータとともにテキストデータが取込まれていくことになる。
【００４７】
ＣＤコントローラ２１は図１に示したようにシステムコントローラ１やＨＤ記録再生部３（後述するＨＤ記録再生部３内のＨＤコントローラ３１）と各種制御信号ＣＳの通信を行なうことがきる。例えばシステムコントローラ１は、操作部５からＣＤの再生、ＦＦ（早送り）、ＲＥＷ（早戻し）、ＡＭＳ（頭出し）、ポーズ（一時停止）、停止、ダビング実行等の操作が行なわれた際には、それらの操作情報をＣＤコントローラ２１に伝える。ＣＤコントローラ２１はその操作情報に応じて、ユーザの意図する動作が実行されるようにＣＤ再生部２の各部を制御する。またＣＤコントローラ２１は、ＣＤ再生部２の動作状態や、ディスク９０から読込んだＴＯＣ情報やテキスト情報、さらにはＣＤ再生中の時間情報（アドレス）等を、システムコントローラ１に送信する。システムコントローラ１は、これらのＣＤコントローラ２１からの送信により、ＣＤ再生部２の動作状態を把握し、またＴＯＣやサブコード情報に基いて、上述したような各種表示を表示部６に実行させることができる。また具体例は後述するが、ＣＤコントローラ２１はＨＤ記録再生部３との間で、ダビング動作の際に各種情報の送受信を行なう。
【００４８】
次に図３によってＨＤ記録再生部の構成を説明する。ＨＤ記録再生部３は大容量の第２の記録媒体としてＨＤＤ（ハードディスクドライブ）３２が設けられる。ＨＤコントローラ３１はＨＤ記録再生部３の動作を制御するコントローラである。ＨＤコントローラ３１の内部には、ＨＤＤ３２へのアクセス、読出し、書込みを実現するためのファイルシステムと呼ばれる機構が搭載されている。例えばＦＡＴ３２ファイルシステムとされる。
【００４９】
ＨＤコントローラ３１は図１に示したようにシステムコントローラ１やＣＤ再生部２（ＣＤコントローラ２１）と各種制御信号ＣＳの通信を行なうことができる。例えばシステムコントローラ１は、後述するようにＣＤ再生部２からの再生データをＨＤＤ３２にダビングする際に、ＨＤコントローラ３１に対してダビングの指示やその他の指示を行なう。またＣＤコントローラ２１からは、再生するディスク９０から読込んだＴＯＣ情報やテキスト情報が送信される。ＴＯＣ情報等は、後述するデータベース（ＣＤＤＢ）におけるディスクの識別情報の生成に用いられる。またＨＤコントローラ３１は、システムコントローラ１やＣＤコントローラ２１に対して動作状態（ステータス）やダビング動作に係る情報を送信する。
【００５０】
ＨＤＤ３２は、ＨＤコンローラ３１の制御によってデータの書込みや読出しが行なわれる。とくにＣＤ再生部２で再生されたデジタルオーディオデータＳ１や、音声入出力部４から供給されたデジタルオーディオデータＳ２が、所定の処理が施された上でＨＤＤ３２に記録される。記録されたデータはＦＡＴ３２ファイルシステムによって管理される。また記録されたデータは、ＨＤコントローラ３１によって読出され、音声入出力部４に供給されて出力される。例えばユーザが操作部５からＨＤＤ３２に記録された楽曲等を指定して再生すべき操作を行なった場合、システムコントローラ１は当該操作情報をＨＤコントローラ３１に伝える。するとＨＤコントローラ３１は指定された楽曲等のデータをＨＤＤ３２から再生させ、音声入出力部４にオーディオデータＳ３として供給する。また後述するＨＤＤ３２に記録したデータの管理を行なうため、ＣＤの識別情報や付加情報を記録できるデータベースがＨＤＤ３２に構築される。ＨＤコントローラ３１はＨＤＤ３２に記憶したデータベースを必要時に参照し、また更新できる。
【００５１】
音声圧縮エンコード／デコード回路３３、およびバッファメモリ３４は、ＨＤＤ３２の記録データ、再生データの処理を行なう部位である。ＨＤ記録再生部３には、ＣＤ再生部２からのデジタルオーディオデータＳ１、もしくは音声入出力部４からのデジタルオーディオデータＳ２が入力されるが、これらのデジタルオーディオデータＳ１、Ｓ２は入力されると、音声圧縮エンコード／デコード回路３３においてデータ圧縮処理が施される。例えばＭＰ３方式あるいはＡＴＲＡＣ３方式の圧縮処理が行なわれる。そして圧縮処理されたデジタルオーディオデータは、バッファメモリ３４に格納され、ＨＤコントローラ３１の制御によりＨＤＤ３２に記録される。ＨＤＤ３２からの再生時には、ＨＤコントローラ３１によりＨＤＤ３２から読出されたデータはバッファメモリ３４に格納されていく。そしてバッファメモリ３４から所定のレートで読出されて音声圧縮エンコード／デコード回路３３においてデータ伸張処理が施される。これによりＭＰ３方式あるいはＡＴＲＡＣ３方式の圧縮処理が解かれ、通常のデジタルオーディオデータＳ３とされて音声入出力部４に出力される。
【００５２】
なお圧縮方式はＡＴＲＡＣ３ではなく、例えばＭＰＥＧオーディオ等の他の圧縮方式でもよいし、または圧縮を行なわないでＨＤＤ３２に記録するようにしてもよい。またＨＤＤ３２に記録されるデータについては暗号化処理が施されるようにし、再生時に暗号解読処理が行なわれるようにしてもよい。
【００５３】
次に上記ＣＤ９０のトラック情報であるＴＯＣ（Ｔａｂｌｅ  ｏｆ  Ｃｏｎｔｅｎｔｓ）情報について図４により説明する。コンパクトディスクのような光ディスクにおいて、データを記録する際のフォーマットは、ディスクの内側から外側に向って、プログラム管理領域であるＴＯＣ領域、プログラム領域、いわゆるリードアウトと呼ばれるプログラム終了領域とから構成されている。ＣＤにおいては、上記中間のプログラム領域に少なくとも１つ以上の音楽データのプログラムが記録され、この音楽データのプログラム毎の時間情報および全プログラムの全時間情報が上記ＴＯＣ領域のＴＯＣ情報で管理される。すなわちＣＤのような光ディスクでは、上記ＴＯＣ領域の上記ＴＯＣ情報で上記プログラム領域の音楽データのプログラム毎の音楽情報および全プログラムの全時間情報を管理している。このＴＯＣ情報は、光ディスク毎に固有の情報である。従ってＣＤのような光ディスクでは、ＴＯＣ情報を各ディスクの固有識別情報とすることができる。
【００５４】
再生部２に装填されたＣＤのＴＯＣ情報は、ＣＤ再生部２で読出されてＣＤコントローラ２１を経由してシステムコントローラ１のＲＡＭ５４上に格納される。すなわち再生部２で再生された複数のＣＤのＴＯＣ情報は、１枚目のＣＤのＴＯＣ情報、２枚目のＣＤのＴＯＣ情報、３枚目のＣＤのＴＯＣ情報、ｎ枚目のＣＤのＴＯＣ情報としてＲＡＭ５４に順次格納される（図４参照）。これらのＴＯＣ情報Ｔ１、Ｔ２、Ｔ３・・・Ｔｎは認識コードＥＯＦでそれぞれ区切られる。また再生部２で読出された複数枚のＣＤのＴＯＣ情報は、エンドオブデータという認識コードＥＯＤで区切られる。なおＴＯＣ情報はＣＤ９０が１枚であっても形成される。
【００５５】
次に再生／ダビング装置による情報検索の動作を示す。図５のステップＳ１に示すように、ユーザによる操作部５の入力操作に伴うＴＯＣ情報を取得するためのＴＯＣ情報取得操作が行なわれたかどうかを判断する。このＴＯＣ情報取得操作が行なわれると、システムコントローラ１はステップＳ２に示すように、上記ＴＯＣ情報送信要求をＣＤ再生部２に送信する。
【００５６】
ＴＯＣ情報送信要求をＣＤ再生部２が受信すると、ステップＳ３に示すように、ＣＤ再生部２の固有識別情報読取り部は、ＣＤのＴＯＣ情報を読取る。この読取られたＴＯＣ情報は、コントローラ１のＲＡＭ５４に供給される。そしてＲＡＭ５４は上記ＴＯＣ情報を記録する。そしてこの後にステップＳ４に示すように、システムコントローラ１がネットワークサーバ１０１およびインターネット通信網４０を介して外部データベース４６〜４９の検索を行なう。そしてステップＳ５で示すように検索した関連するデータをシステムコントローラ１のＲＡＭ５４にロードする。
【００５７】
この後にＲＡＭ５４が記憶したＴＯＣ情報に該当する検索情報をＲＯＭ５３上で探す（ステップＳ６）。そしてステップＳ７に示すように、ＲＯＭ５３上で探した検索情報に対応する記録内容情報をＲＡＭ５４に再配置してから表示部６に表示する。
【００５８】
ユーザは表示部６上の表示によって、選択操作用コマンダで所望の記録内容情報を選択する。するとシステムコントローラ１のＣＰＵ５２が選択された記録内容に対応するＣＤの収納番号をＨＤ記録再生部３に出力する。そしてこの後にステップ１０において所望のＣＤ９０の再生／保存（アーカイブ）がなされる。
【００５９】
次に上記再生／ダビング装置１００から外部のデータベースを検索するステップ４およびステップ５の動作の詳細を図６によって説明する。ＣＤ再生装置２の再生部にステップ１３に示すようにＣＤを挿入し、再生部３において図４に示すＴＯＣ情報の読出しを行なう。そしてこのＴＯＣ情報をシステムコントローラ１内のＲＡＭにロードするとともに、システムコントローラ１がネットワークサーバ１０１およびインターネット通信網４０を介してＴＯＣアルバム関連情報のデータベース（ＣＤＤＢ）４６にアクセスする（ステップＳ１５）。ここで上記ＴＯＣ情報に該当するアルバムデータがあるかないかをシステムコントローラ１のＣＰＵ５２が判断する（ステップＳ１６）。ここで該当するアルバムが存在する場合には、そのアルバム名や曲名情報を取得してシステムコントローラ１に供給し、操作を終了する。
【００６０】
これに対して対応する該当データが検索されない場合には、ステップ１７において該当データなしの情報をシステムコントローラ１に返信する。するとシステムコントローラ１のＣＰＵ５２が著作権情報に当るＩＳＲＣ情報の読出しをＣＤコントローラ２１によってＣＤ再生部２が行なう（ステップＳ１８）。ここで得られるデータが著作権情報に関するＩＳＲＣコードのデータである。そしてここで得られたＩＳＲＣ情報のデータをそのまま用いるのではなく、ステップ１９に示すようにデータの変換を行なう。そして変換されたデータをステップ２０によってインターネット通信網４０を介して検索エンジン４９に送信する。そしてこの後にステップ２１に示すように、ＣＤを発売した会社のホームページデータあるいは販売会社のホームページデータを音楽会社のホームページ情報のデータベース４７または販売会社のデータベース４８によって取得し、次いでステップ２２に示すようにそのデータからＣＤの検索を行なう。そして検索されたＣＤのデータをインターネット通信網４０およびネットワークサーバ１０１を介してシステムコントローラ１に送信し、ＲＡＭ５４にロードするとともに、表示部６によって出力表示を行なう（ステップＳ２３）。これで自動選択を行なう場合には自動的に該当するデータの選択が行なわれ（ステップＳ２４）、手動選択の場合は表示された内容からユーザが選択操作を行なう（ステップＳ２５）ことによってアルバム名と曲名情報の取得を行なう。
【００６１】
図７は検索動作の操作の変形例を示すものであって、この操作は、ＴＯＣ情報に対応するアルバム名データが存在しない場合の操作である。ステップ３１によって著作権情報に当るＩＳＲＣ情報をＣＤ９０から読出し、次いでステップ３２に示すようにＩＳＲＣの権利者情報のデータの元にＣＤ再生部２内の変換テーブルで正式な会社名、録音名をテキスト情報にする。そしてステップＳ３３でテキスト化されたＩＳＲＣ情報とＴＯＣ情報により得られたトラック数、登録した演奏者等に関する情報をシステムコントローラ１およびネットワークサーバ１０１を介してインターネット通信網４０で接続される検索エンジンサイト４９に送信する。すると検索エンジン４９は音楽会社のホームページから音楽会社または販売会社のホームページからの宣伝情報をインターネット通信網４０、ネットワークサーバ１０１を介して再生／ダビング装置１００側のシステムコントローラ１に送信し、その内容を表示部６によって表示する（ステップＳ３４）。
【００６２】
次いでステップＳ３５に示すように、ファイリングされた必要な情報が検索エンジンサイト４９から送付される。そしてこの後ステップ３６に示すように、アルバム名等が再生／ダビング装置１００の表示部６に表示され、必要な情報をユーザがマウスおよびポインタによって選択し、その情報をＭＰ３ファリングにリンクさせてＨＤ再生部３にＣＤの音楽情報に関する内容とともに保存する。
【００６３】
図８は図６に示すフローチャートの内のとくにステップ２４の動作の詳細を示したものであって、ステップ５０において内容データが複数かどうかの判断を行ない、複数の場合にはこの内容データから属性の抽出を行なう。そして記憶されている内容情報の属性を検索するとともに、属性が一致する内容データを選択する。なお内容データが１個しかない場合には、送信された内容データをそのまま音楽情報（コンテンツ情報）としてＨＤ記録再生部３においてそのＣＤの内容と関連づけて記録する。
【００６４】
図９は図１に示す検索エンジン４９から成るデータベースにおける内容データの整形に関する動作を示すものであって、内容データを検索エンジン４９に送信すると、検索エンジン４９が内容の整形を行なうとともに、不要なデータを削除する。そして整形された内容をネットワーク通信網４０およびネットワークサーバ１０１を介してこの装置のシステムコントローラ１のＲＡＭ５４にロードする。従って整形されたデータをアルバム名や曲名情報として取得することができ、ＨＤ記録再生部３において格納されるデータとして不要なデータを含まないことになる。
【００６５】
このように本実施の形態は、ＣＤのデータベースであるＴＯＣアルバム関連情報（ＣＤＤＢ）４６に対応するデータが存在しない場合や、ＣＤＤＢ４６に２つ以上のアルバム情報が存在する場合、あるいはアルバム情報が誤りである場合に、ＣＤ９０内に記録されている著作権情報であるＩＳＲＣコード情報と音楽会社や販売会社のホームページデータ４７、４８等を有効に活用し、従来のＴＯＣ情報を元にしたアルバム名や曲名取得サービスの各種問題点を解消するとともに、アルバム名および曲名取得時に発売元の音楽会社の販促になる情報提供を自動的に行なうことによって、ユーザと発売メーカまたは販売会社の双方に対する利益を提供するものである。
【００６６】
ＴＯＣ情報を元にしたアルバム名や曲名取得サービスにおいて、再生／ダビング装置１００のＣＤ再生部２で再生するときにＴＯＣ情報を用いてネットワークサーバ１０１を介して外部のデータベース４６〜４９にアクセスする。外部のデータベース４６には、ＴＯＣ情報とアルバム情報が一丸になって入っており、ＴＯＣ情報に対応したアルバム名や曲名を再生／ダビング装置１００に返送する。なおこの再生／ダビング装置がイーサ端子を有し、インターネットサービスプロバイダであるネットワークサーバ１０１に接続してもよい。
【００６７】
ＣＤ再生部２にＣＤ９０を入れると図６に示すように、このＣＤ９０のＴＯＣ情報をイーサ端子を通じてネットワークサーバ１００からインターネット通信網４０を介してＴＯＣアルバム関連データベース４６に送る。データベース４６内では送られたＴＯＣ情報と同じデータを検索する。検索の結果該当データがない場合には、ない旨をサーバ１０１を介して再生／ダビング装置１００に戻す。この再生／ダビング装置１００ではアルバム情報が取得できないために、その再生部２においてＣＤ９０のＩＳＲＣを読出す。ＩＳＲＣの権利者情報、および録音年情報は単なるビットデータであるために、ＣＤ再生部２内の変換テーブルにおいて、ＴＯＣ情報のトラック数を既存の検索エンジン４８に送付し、このＣＤ９０を発売した音楽会社や販売会社のホームページ４７、４８のデータを取得する。
【００６８】
ＩＳＲＣデータの利用の方式には、ＩＳＲＣ内の権利者情報で発売会社や販売会社を特定する方法、ＩＳＲＣ内の録音年情報で録音した年の特定を行なう方法、ＩＳＲＣ内の録音番号情報で録音した順番の特定を行なう方法、ＴＯＣ情報によってトラック数を特定する方法の何れかが利用できる。
【００６９】
従ってこのようなＩＳＲＣ情報の利用によって、音楽会社によっては少なくとも数十程度のアルバムに限定される。トラック数が極めてユニークな場合であって、英会話教材等でトラック数が通常の音楽アルバムと比べて異常に大きくなるケースでは、完全にそのアルバムを特定でききる。得られた情報は再生／ダビング装置１００の大型表示器６で表示され、操作しているユーザが現状のＣＤ９０のアルバム名と同じ情報を指定する。指定後はそのアルバム名および曲名情報はＭＰ３等の圧縮方法によってアーカイブしたＨＤ記録再生部３のファイルにリンクされる。
【００７０】
図７に示すフローチャートの場合には、音楽会社または販売会社の宣伝を送るフローがステップ３４に存在する。このステップによって新譜情報を送ることができる。この例は外部のＴＯＣ情報を元にしたアルバム名や曲名取得サービスで検索できない例を示しているが、仮に検索できた場合でも、本例のように音楽会社や販売会社の宣伝ができれば、音楽会社や販売会社のために有利である。また得られたアルバム名等が正しいかどうかの確認が、音楽会社のホームページ上のデータにより簡単に確認できる。検索エンジン４９を用いて情報のファイリングを行なったが、専用のサイトをサービス運営会社が作って運営してもよい。なおＩＳＲＣの権利者情報を再生／ダビング装置１００で変換して通常の会社名にすることも可能であるが、専用サイトを利用する場合にはそのままの生のデータを送り、サイト内で変換することができる。この場合の専用変換サイト内においてＴＯＣデータによって得られたトラック数を元に同じトラック数のものと録音番号により推定される録音アルバムを特定し易くなり、再生／ダビング装置またはＣＤプレーヤには整形されたきれいなアルバムや曲名情報を返すことができる。
【００７１】
ＩＳＲＣは曲毎に存在する６０ビットの構成である。またＩＳＲＣには国名コードや権利者コード、録音年、録音番号が記載される。国名コードはアルファベット２文字でコード化される。このアルファベット文字は６ビットで符号化している。さらに権利者コードはアルファベット３文字でコード化される。同様にこのアルファベット文字は６ビットで符号化している。録音はＢＣＤで４ビットで記載されており、数字２桁である。
【００７２】
著作権情報であるＩＳＲＣによってかなり限定されるものの、大手の音楽会社の場合には多数のＣＤがリリースされるために、データベースにアクセスすると多数のヒットを生ずる。これを避けるために図８の自動選択を利用し、予めユーザが主に聴く演奏者の名前を登録あるいは自動的にアーカイブしたファイルの演奏者情報を音楽会社のホームページ４７に送付する。一般にある種のアーチストが好きであれば、その人のアルバムを買う確率が増加するために、その演奏者のアルバムを先に表示することによって検索し易くなる。
【００７３】
以上本願発明を図示の実施の形態によって説明したが、本願発明は上記実施の形態によって限定されることなく、本願発明の技術的思想の範囲内において各種の変更が可能である。例えば上記実施の形態はＣＤに記録されているＴＯＣ情報とＩＳＲＣ情報を元に検索を行なうようにしているが、これに代えてＣＤに記録されているＰＯＳデータを元に検索を行なうことも可能である。また上記実施の形態は、音楽情報をデジタル信号によって書込んだデジタルオーディオのＣＤを例にして説明したが、ＤＶＤ、ＭＤ、あるいは次世代メディアにおいても同様なコードが入っていれば、このシステムを利用できる。また音楽以外の映像機器にも適用可能である。またＣＤプレーヤにネットワーク機能を内在させた例を示したが、記録再生機能を有するパソコンであってもよく、表示も外付けでもよく、あるいはまた表示も外部表示によって行なうことも可能である。
【産業上の利用可能性】
【００７４】
本願発明はＣＤ等のデジタルオーディオの再生あるいはダビング装置においてそのＣＤのアルバム名や曲名を表示し、あるいは記憶するのに広く利用可能である。
【図面の簡単な説明】
【００７５】
【図１】再生／ダビング装置のシステム構成を示すブロック図である。
【００７６】
【図２】ＣＤ再生部のシステム構成を示すブロック図である。
【００７７】
【図３】ＨＤ記録再生部のシステム構成を示すブロック図である。
【００７８】
【図４】ＴＯＣ情報のデータ形式を示すファイルの模式図である。
【００７９】
【図５】全体の検索動作を示すフローチャートである。
【００８０】
【図６】外部データベースを利用した内容情報の取得の動作を示すフローチャートである。
【００８１】
【図７】変形例の内容情報の取得動作を示すフローチャートである。
【００８２】
【図８】複数の内容情報から特定の内容情報を自動的に選択する動作を示すフローチャートである。
【００８３】
【図９】内容データの整形の動作を示すフローチャートである。
【符号の説明】
【００８４】
１‥‥システムコントローラ、２‥‥ＣＤ再生部、３‥‥ＨＤ記録再生部、４‥‥音声入出力部、５‥‥操作部、６‥‥表示部、７‥‥インターフェース、２１‥‥ＣＤコントローラ、２２‥‥スピンドルモータ、２３‥‥光学ヘッド、２４‥‥スレッド機構、２５‥‥ＲＦアンプ、２６‥‥デコーダ、２７‥‥サーボ回路、３１‥‥ＨＤコントローラ、３２‥‥ＨＤＤ、３３‥‥エンコード／デコード回路、３４‥‥バッファメモリ、４０‥‥インターネット通信網、４１‥‥外部サーバ、４６‥‥データベース（ＴＯＣアルバム）、４７‥‥データベース（音楽会社）、４８‥‥データベース（インターネットレコード店）、４９‥‥データベース（検索エンジン）、５２‥‥ＣＰＵ、５３‥‥ＲＯＭ、５４‥‥ＲＡＭ、９０‥‥ディスク、１００‥‥再生／ダビング装置、１０１‥‥パーソナルコンピュータ
【図１】
2005122863.tif 000003
【図２】
2005122863.tif 000004
【図３】
2005122863.tif 000005
【図４】
2005122863.tif 000006
【図５】
2005122863.tif 000007
【図６】
2005122863.tif 000008
【図７】
2005122863.tif 000009
【図８】
2005122863.tif 000010
【図９】
2005122863.tif 000011